(57)【要約】【課題】  枚葉印刷機において、紙送り板上に搬送された枚葉紙の浮き上がりや皺を抑制させて、正常に印刷胴へ受け渡す紙押さえ装置を提供すること。【解決手段】  第１押さえ部材１０３を支持する第１支持杆１３５と、第２押さえ部材２０３を支持する第２支持杆２３０とを同軸線上に設け、紙送り板Ｐ上に搬送された枚葉紙Ｗを、夫々独立に進退動する第１押さえ部材１０３と第２押さえ部材２０３とで、枚葉紙Ｗを所要のタイミングで押さえる。【選択図】        図４
2006305790.tif 000002
【特許請求の範囲】
【請求項１】
印刷機に組み込まれ紙送り板上に搬送された枚葉紙の浮き上がりを抑制させる紙押さえ装置であって、前記紙送り板上に対し夫々独立して進退動可能な第１押さえ部材及び第２押さえ部材を設けたことを特徴とする紙押さえ装置。
【請求項２】
前記第１押さえ部材及び第２押さえ部材の基部が係合され前記紙送り板上に対し夫々独立して揺動させる駆動手段を備えてなり、
前記駆動手段は、紙送り方向と平面視直交する方向に架設され前記第１押さえ部材の基部が係合された第１支持杆と、
紙送り方向と平面視直交する方向に架設され前記第２押さえ部材の基部が係合された第２支持杆と、
前記印刷機の駆動系と連係され前記第１支持杆及び前記第２支持杆を夫々独立して所要角度回動させるカム機構と
を備えてなることを特徴とする請求項１記載の紙押さえ装置。
【請求項３】
前記カム機構は、前記第１押さえ部材を揺動させる第１カム機構と前記第２押さえ部材を揺動させる前記第２カム機構とが前記紙送り板上を挟んで対向配置されてなると共に、前記第１支持杆は、前記第２支持杆を挿入させた筒状に形成されると共に、前記第２押さえ部材を揺動可能に突出させる開口部が形成されて、前記第１支持杆と前記第２支持杆とが同一軸上に配置されていることを特徴とする請求項２記載の紙押さえ装置。
【請求項４】
前記第１押さえ部材は、前記枚葉紙を押さえる実行部である先部が転動可能なローラであると共に、前記第２押さえ部材は、前記枚葉紙を押さえる実行部である先部が板状部材であることを特徴とする請求項１〜３の何れか１項記載の紙押さえ装置。
【請求項５】
前記紙送り板の先部に、幅方向所要の間隔をおいて前記枚葉紙の先端部と衝合させる倒伏動可能な前当てが設けられ、前記第１押さえ部材は、該前当てに対し対向配置されることを特徴とする請求項４記載の紙押さえ装置。
【請求項６】
前記第１押さえ部材は、前記枚葉紙の先端部が前記前当てに当接する前に前記枚葉紙を押さえオーバーランを防止することを特徴とする請求項５記載の紙押さえ装置。
【請求項７】
紙送り板上に搬送された枚葉紙の浮き上がりを抑制させる印刷機における紙押さえ方法であって、
前記紙送り板上に搬送された前記枚葉紙を、夫々独立に進退動する第１押さえ部材と第２押さえ部材とで前記枚葉紙を押さえることを特徴とする紙押さえ方法。
【発明の詳細な説明】
【技術分野】
【０００１】
本発明は、枚葉紙印刷機において、搬送された枚葉紙を正常に印刷胴へ受け渡すための紙押さえ装置及び紙押さえ方法に関する。
【背景技術】
【０００２】
従来から、枚葉紙印刷機は、紙送り板上に搬送された枚葉紙の浮き上がりを抑制させるために紙押さえ装置が組み込まれている。
この紙押さえ装置は、例えば、シート（枚葉紙）の搬送状態に連動して所定のタイミングでローラからなる一種類の紙押さえ部材をフィーダボード（紙送り板）に対して接離させる連動手段を備えて構成されている。この先行した紙押さえ装置は、一種類の紙押さえ部材を一様のタイミングでもって、紙送り板上に搬送された枚葉紙を押さえるものである。
【０００３】
【特許文献１】特開２００２−２２５２２８号公報（第１頁、図１）
【発明の開示】
【発明が解決しようとする課題】
【０００４】
しかしながら、従来の紙押さえ装置は、以下の問題点を有する。
１．枚葉紙はその幅寸法の大きいものもあり、かかるような枚葉紙の場合、紙押さえ部材の動作タイミングが僅かにでもずれると、皺の発生や浮き上がり、さらに枚葉紙が前当てを乗り越えて、所謂オーバーランが発生し、容易に防止することができない。
【０００５】
２．紙送り板上に搬送された枚葉紙を印刷胴へ受け渡すのに、枚葉紙の先部を挟持させた開閉爪（スイング爪）を、印刷胴に設けられた受け渡し爪へ移動させているが、その受け渡しを行う前に、幅方向所定の間隔をおいて紙送り板に設けた前当てに、一旦、枚葉紙を突き合わせている（前当て以外の部分には開閉爪（スイング爪）が配設される）。このとき、前当てに直接当接する枚葉紙の一部分は、他の部分よりも、皺の発生や浮き上がりの発生がし易い。このことは、上記した従来の紙押さえ装置でもっても解消しにくい。
【０００６】
そこで本発明は、このような状況に鑑みてなされたものであり、上記問題点を解決できる紙押さえ装置及び紙押さえ方法を提供することを目的とする。
【課題を解決するための手段】
【０００７】
上記技術課題を達成するために、本発明にかかる紙押さえ装置及び紙押さえ方法は、下記の技術的手段を講じた。
すなわち、請求項１にかかる紙押さえ装置は、印刷機に組み込まれ紙送り板上に搬送された枚葉紙の浮き上がりを抑制させる紙押さえ装置であって、前記紙送り板上に対し夫々独立して進退動可能な第１押さえ部材及び第２押さえ部材を設けたことを特徴とする。
請求項２かかる紙押さえ装置は、請求項１において、前記第１押さえ部材及び第２押さえ部材の基部が係合され前記紙送り板上に対し夫々独立して揺動させる駆動手段を備えてなり、前記駆動手段は、紙送り方向と平面視直交する方向に架設され前記第１押さえ部材の基部が係合された第１支持杆と、紙送り方向と平面視直交する方向に架設され前記第２押さえ部材の基部が係合された第２支持杆と、前記印刷機の駆動系と連係され前記第１支持杆及び前記第２支持杆を夫々独立して所要角度回動させるカム機構とを備えてなることを特徴とする。
請求項３にかかる紙押さえ装置は、請求項２において、前記カム機構は、前記第１押さえ部材を揺動させる第１カム機構と前記第２押さえ部材を揺動させる前記第２カム機構とが前記紙送り板上を挟んで対向配置されてなると共に、前記第１支持杆は、前記第２支持杆を挿入させた筒状に形成されると共に、前記第２押さえ部材を揺動可能に突出させる開口部が形成されて、前記第１支持杆と前記第２支持杆とが同一軸上に配置されていることを特徴とする。
請求項４にかかる紙押さえ装置は、請求項１〜３の何れかにおいて、前記第１押さえ部材は、前記枚葉紙を押さえる実行部である先部が転動可能なローラであると共に、前記第２押さえ部材は、前記枚葉紙を押さえる実行部である先部が板状部材であることを特徴とする。
請求項５にかかる紙押さえ装置は、請求項４において、前記紙送り板の先部に、幅方向所要の間隔をおいて前記枚葉紙の先端部と衝合させる倒伏動可能な前当てが設けられ、前記第１押さえ部材は、該前当てに対し対向配置されることを特徴とする。
請求項６にかかる紙押さえ装置は、請求項５において、前記第１押さえ部材は、前記枚葉紙の先端部が前記前当てに当接する前に前記枚葉紙を押さえオーバーランを防止することを特徴とする。
請求項７にかかる紙押さえ方法は、紙送り板上に搬送された枚葉紙の浮き上がりを抑制させる印刷機における紙押さえ方法であって、前記紙送り板上に搬送された前記枚葉紙を、夫々独立に進退動する第１押さえ部材と第２押さえ部材とで前記枚葉紙を押さえることを特徴とする。
【発明の効果】
【０００８】
本発明によれば、紙送り板上に搬送された枚葉紙を押さえる第１押さえ部材と第２押さえ部材とを夫々独立して進退動可能に構成したことにより、枚葉紙を押さえるタイミングの自由度が向上して、枚葉紙の皺の発生や、枚葉紙が浮き上がって前当てを乗り越える、所謂オーバーランの発生を容易に防止することができる。また、第１支持杆と第２支持杆を同一軸上に構成したので、装置が複雑にならない。
【発明を実施するための最良の形態】
【０００９】
次に、本発明にかかる紙押さえ装置の実施の形態を、添付図面を参照しながら説明する。
図１は、枚葉印刷機に組み込まれた紙押さえ装置にかかる平面図であり、図中左に示したＡ部は第１押さえ部を示し、図中右に示したＢ部は第２押さえ部を示している。なお、図中、符合１００は第１押さえ部を、符合２００は第２押さえ部を、符合１０３は第１押さえ部材を、符合１３５は第１支持杆を、符合２０３は第２押さえ部材を、符合２３０は第２支持杆を夫々示す。
【００１０】
本実施の形態にかかる紙押さえ装置は、図１に示すように、枚葉紙Ｗの搬送路である紙送り板Ｐを挟んで、第１押さえ部１００と、第２押さえ部２００とを備えてなる。
【００１１】
第１押さえ部１００は、図２に示すように、第１カム機構１０１と、第１支持杆部１０２と、第１押さえ部材１０３とを備えてなる。
【００１２】
第１カム機構１０１は、印刷胴用軸受け１０４と、第１揺動杆支点軸１０５と、第１板カム１０６と、第１揺動杆１０７と、第２揺動杆１０８とを備えてなる。
【００１３】
印刷胴用軸受け１０４は、中空軸状のストレート部１０９一端に鍔１１０が張り出し形成されてなり、印刷機の機枠Ｍに設けられた連通孔ｍ１に、そのストレート部１０９が挿嵌されると共に機枠Ｍ外壁に鍔１１０が螺合されて機枠Ｍに固定されている。
【００１４】
この印刷胴用軸受け１０４内には、左端部が軸長手方向中央部に向かって徐々に拡径させた略５段の段付軸状に形成された印刷胴Ｒの第２段部ｒ２が支持され、その第２段部ｒ２を摺動させるすべり軸受け１１１が環装されている。
【００１５】
この上記した印刷胴Ｒは、図２に示すように、印刷胴Ｒの第１段部ｒ１と第２段部ｒ２を形成させる側壁面が印刷胴用軸受け１０４内に配置されると共に、第１段部ｒ１が印刷胴用軸受け１０４から突出するような関係でもって配設されている。
【００１６】
印刷胴用軸受け１０４の鍔１１０外面には、グリスカップ１１２が設けられており、印刷胴用軸受け１０４内に設けられた連絡孔１１３を介してすべり軸受け１１１にグリスが供給されるようになっている。
【００１７】
また、印刷機の機枠Ｍに設けられた連通孔ｍ１に挿嵌される環状凸部１１５を側面に設けた環状のストッパ部材１１４が、印刷胴用軸受け１０４のストレート部１０９の端面にその環状凸部１１５が当接するように、印刷胴用軸受け１０４と対向した機枠Ｍ内側に螺合されている。
【００１８】
機枠Ｍを挟んでストッパ部材１１４の反対側である印刷胴用軸受け１０４の鍔１１０面には、印刷胴Ｒの第１段部ｒ１と第２段部ｒ２を形成させる側壁面に当接させたスラスト軸受け１１６を抑えるリング部材１１７が螺合されている。
【００１９】
第１揺動杆支点軸１０５は、右端部外側面に印刷胴Ｒの第１段部ｒ１の端部を挿嵌させた凹部１１８が設けられた３段の段付軸で、上記した凹部１１８に印刷胴Ｒの第１段部ｒ１の端部を挿嵌させると共に印刷胴Ｒの第１段部ｒ１に螺合されて、この第１揺動杆支点軸１０５は印刷胴Ｒの回動に連動して共廻りするようになっている。
【００２０】
第１板カム１０６は、図３に示すように、外周面が所要のカム曲線でもって略リング状に形成されており、第１揺動杆支点軸１０５の右端部の第２段部１２０と第３段部１２１にかけて挿嵌されると共に第１揺動杆支点軸１０５に螺着されている。なお、第１板カム１０６には、第１揺動杆支点軸１０５と螺合させる取付孔１２２が周方向に延設された長孔になっており、後述する第１押さえ部材１０３が所要のタイミングで動作するように調整をした後、螺着し、テーパピンやスプリングピン等で位置決め固定される。
【００２１】
第１揺動杆１０７は、第１揺動杆支点軸１０５左部の第１段部１１９（最細径部分）と摺動可能に係合された略Ｕ字状の基部１２３と、中央部がフランジ状に張り出し形成された第１リンクピン１２４の一端を枢着させた先部１２５と、その先部１２５と基部１２３との間に設けられ第１板カム１０６のカム面に転動可能に支持された第１カムフォロア１２６とを備え、外観形状略棒状に形成されている。
【００２２】
第２揺動杆１０８は、スリ割１２７を入れた取付孔１２８に後述する第１揺動軸１３４の端部を挿嵌しボルト締めすることで第１揺動軸１３４を挟持していると共に廻り止めのキー１２９が内嵌された基部１３０と、印刷胴用軸受け１０４の鍔１１０面右上部に一端が止着された引っ張りスプリング１３１の他端が止着された先部１３２とを備え、先部１３２と基部１３０との間に第１リンクピン１２４の他端が枢着された外観形状略棒状に形成されてなる。
【００２３】
この第２揺動杆１０８は、図３に示すように、略水平方向に延設された第１揺動杆１０７に対し、上下方向に立設されており、この印刷胴用軸受け１０４の鍔１１０面右上部と第２揺動杆１０８の先部１３２に亘って張架された引っ張りスプリング１３１によって、第２揺動杆１０８の基部１３０を支点として、第１揺動杆１０７が第１揺動杆支点軸１０５に向かって付勢されており、第１揺動杆１０７の中途部に設けられた第１カムフォロア１２６が、第１板カム１０６のカム面に常時圧接されるようになっている。
【００２４】
第１支持杆部１０２は、第１揺動軸軸受け１３３と、第１揺動軸１３４と、第１支持杆１３５とを備えてなる。
【００２５】
第１揺動軸軸受け１３３は、中空軸状のストレート部１３６の中途部に鍔１３７が張り出し形成されてなり、印刷機の機枠Ｍに設けられた連通孔ｍ３に、そのストレート部１３６が挿嵌されると共に機枠Ｍ内壁に鍔１３７が螺合されて機枠Ｍに固定されている。
【００２６】
第１揺動軸１３４は、上下方向に所要深さスリ割１３８が入った凹部１３９が右端部外側面に設けられると共に所要長さのストレートシャフト部１４０が形成された略２段の段付軸からなる。
【００２７】
この第１揺動軸１３４は、上記した凹部１３９に後述する第１支持杆１３５の端部を挿嵌させボルト締めして第１支持杆１３５を挟持していると共に、ストレートシャフト部１４０の中途域が第１揺動軸軸受け１３３内の両端部に環装されたすべり軸受け１４１に支持され、さらに、第１揺動軸軸受け１３３から突出したストレートシャフト部１４０の端部が上記した第２揺動杆１０８の基部１３０に係合されている。
【００２８】
第１支持杆１３５は、筒状に形成されており、軸径方向所要角度に亘って長孔状の開口部１４２が軸長手方向所要の間隔をおいて形成され、上記したように第１揺動軸１３４の凹部１３９に第１支持杆１３５の端部が止着されている。なお、この第１支持杆１３５は、対峙する機枠Ｍまで達しない所要長さからなり、第１揺動軸１３４、第１揺動軸軸受け１３３を介して、一方の機枠Ｍに片持ち支持されている。
【００２９】
第１押さえ部材１０３は、図４に示すように、スリ割１４３を入れた取付孔１４４に開口部１４２を避けるように第１支持杆１３５が挿嵌され、ボルト締めすることで第１支持杆１３５を挟持して固定された基部１４５と、転動可能なローラ１４６が枢着された先部１４７とを備えてなる。
【００３０】
このローラ１４６は、後述する紙送り板Ｐ上に搬送された枚葉紙Ｗを押さえる実行部であり、後述する前当てＳに対し対向配置されている。また、この第１押さえ部材１０３のローラ１４６（先部１４７）は、後述する第２押さえ部材２０３の先部より上流側に配設されている。
【００３１】
このように構成された第１押さえ部１００は、印刷胴Ｒの回動に連動して第１揺動杆支点軸１０５と第１板カム１０６が共廻りし、第１板カム１０６のカム面に圧接した第１カムフォロア１２６の位置が左右方向（水平方向）に変位し、第１揺動杆１０７を介しその変位によって基部１３０を支点として第２揺動杆１０８を左右方向（水平方向）に揺動し、これと同時に、第２揺動杆１０８の基部１３０と係合した第１揺動軸１３４を介して第１支持杆１３５が時計方向及び反時計方向に交互に所要角度回動し、それに伴って第１支持杆１３５に止着された第１押さえ部材１０３が揺動し、紙送り板Ｐ上に搬送された枚葉紙Ｗに向かって進退動する。
【００３２】
第２押さえ部２００は、図５に示すように、第２カム機構２０１と、第２支持杆部２０２と、第２押さえ部材２０３とを備えてなる。
【００３３】
第２カム機構２０１は、従動ギア２０４と、従動ギア用軸受け２０５と、従動ギア用軸２０６と、第２板カム２０７と、付勢板２０８とを備えてなる。
【００３４】
従動ギア２０４は、図示しない右部用の印刷胴用軸受け１０４を介して突出した印刷胴Ｒの右端部に止着された駆動ギアｒ３と噛合されるギアからなる。なお、印刷胴Ｒは、印刷胴Ｒの右端部に止着された他の駆動ギアｒ４（上記の駆動ギアと同軸上に配設されている）が印刷機の駆動系を介して回動するようになっている。
【００３５】
従動ギア用軸受け２０５は、中空軸状のストレート部２１０一端に鍔２１１が張り出し形成されてなり、印刷機の機枠Ｍに設けられた連通孔ｍ２に、そのストレート部２１０が挿嵌されると共に機枠Ｍ外壁に鍔２１１が螺合されて機枠Ｍに固定されている。また、従動ギア用軸受け２０５の鍔２１１外面には、グリスカップ２１２が設けられており、従動ギア用軸受け２０５内に設けられた連絡孔２１３を介して、従動ギア用軸受け２０５内に環装されたすべり軸受け２１４にグリスが供給されるようになっている。
【００３６】
従動ギア用軸２０６は、拡径した中途部を挟んで両端部が縮径した３段の段付軸で、拡径した中途部がすべり軸受け２１４を介して従動ギア用軸受け２０５に支持され、右端部が他の従動ギア２１５を介して上記した従動ギア２０４と係合されている。左端部は、縦断面視略Ｔ字状の支持部材２１６が挿嵌・螺合されている。
【００３７】
第２板カム２０７は、外周面が所要のカム曲線でもって略リング状に形成されており、上記した支持部材２１６の段部に挿嵌されると共に支持部材２１６に螺着されている。なお、第２板カム２０７には、第１板カム１０６と同様に支持部材２１６と螺合させる取付孔２１７が周方向に延設された長孔になっており、後述する第２押さえ部材２０３が所要のタイミングで動作するように調整をした後、螺着し、テーパピンやスプリングピン等で位置決め固定される。
【００３８】
付勢板２０８は、スリ割２１８を入れた取付孔２１９に後述する第２揺動軸２２９の端部を挿嵌しボルト締めすることで第２揺動軸２２９を挟持していると共に廻り止めのキー２２０が内嵌された基部２２１と、第２板カム２０７のカム面に転動可能に支持された第２カムフォロア２２２を設けた先部２２３とを備え、外観形状略台形状に形成されてなる。
【００３９】
また、図６に示すように、付勢板２０８の中間部には、一端が機枠Ｍに止着された引っ張りスプリング２２７の他端が止着されて、図面左方向に付勢させている。従って、第２カムフォロア２２２は、その軸を介してカム面に常時圧接されている。
そして、第３揺動杆２０８の上方には、その先部２２３に係合して第２押さえ部材２０３の揺動、または固定の切換部２０９が設けられている。
切換部２０９は、機枠Ｍに支点軸２２６を介して取り付けられた第４揺動杆２５１と、その先部のカムフォロア２５２などからなる。図６は、第３揺動杆２０８の先部２２３とカムフォロア２５２とが離れた揺動状態に切換えられている。軸２５０を反時計方向に回動すると、第２押さえ部材２０３が固定状態に切換えられる。
【００４０】
第２支持杆部２０２は、第２揺動軸用軸受け２２８と、第２揺動軸２２９と、第２支持杆２３０とを備えてなる。
【００４１】
第２揺動軸用軸受け２２８は、連通孔２３１が設けられると共にその連通孔２３１内にすべり軸受け２３２が環装されてブロック状に形成されており、機枠Ｍ間に架設された板部材２３３に螺着されている。
【００４２】
第２揺動軸２２９は、上下方向に所要深さスリ割２３４が入った凹部２３５が左端部外側面に設けられると共に所要長さのストレートシャフト部２３６が形成された略２段の段付軸からなる。
【００４３】
この第２揺動軸２２９は、上記した凹部２３５に後述する第２支持杆２３０の端部を挿嵌させボルト締めして第２支持杆２３０を挟持していると共に、ストレートシャフト部２３６の中途域が第２揺動軸用軸受け２２８内の両端部に環装されたすべり軸受け２３２に支持され、さらに、第２揺動軸用軸受け２２８から突出したストレートシャフト部２３６の端部が上記した付勢板２０８の基部２２１に係合されている。
【００４４】
第２支持杆２３０は、中実の略丸棒状に形成されており、筒状に形成された第１支持杆１３５内に遊挿されると共に、上記したように第２揺動軸２２９の凹部２３５に、この第２支持杆２３０の端部が止着されている。
【００４５】
また、この第２支持杆２３０は、対峙する機枠Ｍまで達しない所要長さからなり、第１支持杆１３５内に環装されたすべり軸受け２３７に第２支持杆２３０の先部が支持されている。さらに、この第２支持杆２３０は、第１支持杆１３５の開口部１４２と重合するように、第２支持杆２３０の軸長手方向に所要の間隔をおいて、軸周方向に平面状の取付面２３８が形成されている。
【００４６】
第２押さえ部材２０３は、先部２３９を凸湾曲させた帯板状に形成されており、上記した取付面２３８に基部が螺着されている。この先部２３９は、紙送り板Ｐ上に搬送された枚葉紙Ｗを押さえる実行部であり、枚葉紙Ｗの先部を挟持し印刷胴Ｒに設けられた受け渡し爪ｒ５へ移動するスイング爪ｒ６に対し対向配置されている。
【００４７】
このように構成された第２押さえ部２００は、印刷胴Ｒの右端部に止着した駆動ギアｒ３と噛合した従動ギア２０４が回動することで、従動ギア用軸２０６に螺合された第２板カム２０７が共廻りし、第２板カム２０７のカム面に圧接した第２カムフォロア２２２の位置が左右方向に変位し、その変位によって付勢板２０８が左右方向（水平方向）に揺動し、これと同時に、付勢板２０８の基部２２１と係合した第２揺動軸２２９を介して、第２支持杆２３０が時計方向及び反時計方向に交互に所要角度回動し、それに伴って第２支持杆２３０に止着された第２押さえ部材２０３が揺動し、紙送り板Ｐ上に搬送された枚葉紙Ｗに向かって進退動する。
【００４８】
紙送り板Ｐは、上記した板部材に螺合されて機枠Ｍ間に架設された板状部材であり、図示しない枚葉紙供給装置から給紙された枚葉紙Ｗが摺接しながら搬送されるようになっている。
【００４９】
前当てＳは、紙送り板Ｐの先端部裏面に配設され図示しない回動機構に連係された回動軸ｓ１と、その回動軸ｓ１と止着され紙送り板Ｐの先端部上面に延設されると共に側面視略コ字状の衝合部ｓ２を設けたアーム部ｓ３と、そのアーム部ｓ３の頂部に枢着され搬送された枚葉紙Ｗの先端部が浮き上がっていた際に該先端部を下方に案内させる浮上防止ローラｓ４とを備えてなる。
【００５０】
この前当てＳは、紙送り板Ｐの先部に、幅方向所要の間隔をおいて設けられており、搬送された枚葉紙Ｗの先端部を衝合部ｓ２に衝合させて枚葉紙Ｗの位置決めを行い、しかる後、回動機構に連係された回動軸ｓ１が反時計方向に回動して枚葉紙Ｗとの衝合を解除するように倒伏動可能に構成されている。なお、上記したように、この前当てＳに対し第１押さえ部材１０３が対向配置されている。
【００５１】
次に、以上のように構成された本実施の形態にかかる紙押さえ装置の一連の動作を詳述する。
【００５２】
まず、図示しない枚葉紙供給装置から給紙された枚葉紙Ｗが、紙送り板Ｐ上を摺接しながら搬送し、枚葉紙Ｗの先端部が前当てＳの衝合部ｓ２に当接する直前で第１押さえ部材１０３が下方へ移動（揺動）し、枚葉紙Ｗの先端部が前当てＳの衝合部ｓ２に当接したときに第２押さえ部材２０３の下方への移動（揺動）が終了して、紙送り板Ｐ上に搬送した枚葉紙Ｗの浮き上がりを抑制する。
【００５３】
また、枚葉紙Ｗが厚紙の場合、第１押さえ部材１４６を作動させ、前当てＳの手前で枚葉紙Ｗ（厚紙）を一端停止させてから送紙し、枚葉紙Ｗが前当てＳにあたったとき、第２押さえ部材２３９で枚葉紙Ｗを押さえるということもできる。このように、紙厚やその他の紙の状態により第１押さえ部材１４６と第２押さえ部材２３９との作動タイミングを調整することができる。
【００５４】
このとき、紙送り板Ｐの先端部近傍には、図３において図示したスイング爪ｒ６を供え揺動可能なスイングｒ７が待機しており、枚葉紙Ｗの先端部が前当てＳの衝合部ｓ２に当接した際に、開状態のスイング爪ｒ６内に枚葉紙Ｗの先端部が位置する。
【００５５】
次いで、スイング爪ｒ６が閉じて枚葉紙Ｗの先端部を把持し、前当てＳが反時計方向に回動を開始して枚葉紙Ｗの先端部との衝合を解除すると略同時に、スイングｒ７が反時計方向に回動を開始する。
【００５６】
そして、枚葉紙Ｗの先端部を把持したスイング爪ｒ６が揺動（移動）して、円弧を描くように枚葉紙Ｗを引き出し、その引き出し途中に、印刷胴Ｒの外周面に設けられた受け渡し爪ｒ５が枚葉紙Ｗの移動軌跡上に移動してきて、受け渡し爪ｒ５に枚葉紙Ｗを受け渡す。
この間、第１押さえ部材１０３と第２押さえ部材２０３は、枚葉紙Ｗの先端が印刷胴Ｒへ完全に受け渡されるまで、紙送り板Ｐ上の枚葉紙Ｗを押させて浮き上がりを抑制している。
【００５７】
そして、枚葉紙Ｗが印刷胴Ｒへ完全に受け渡されたら、第１押さえ部材１０３と第２押さえ部材２０３が上方への移動（揺動）を開始し、待機位置に復帰する。なお、この一連の動作は、連続して繰り返し行われる。
【００５８】
このように本実施の形態にかかる紙押さえ装置は、紙送り板Ｐ上に搬送された枚葉紙Ｗを押さえる第１押さえ部材１０３と第２押さえ部材２０３とを夫々独立して進退動可能に構成したことにより、枚葉紙Ｗを押さえるタイミングの自由度が向上して、枚葉紙Ｗの皺の発生や浮き上がりや、枚葉紙が浮き上がって前当てを乗り越える、所謂オーバーランの発生を容易に防止することができる。
【００５９】
また、第１押さえ部材１０３を支持する第１支持杆１３５と、第２押さえ部材２０３を支持する第２支持杆２３０とを同軸線上に設けたことにより、紙押さえ装置の小型化が達成できる。
【００６０】
以上、本実施の形態にかかる紙押さえ装置を説明したが、紙送り板上に搬送された枚葉紙を、夫々独立に進退動する第１押さえ部材と第２押さえ部材とをローラで構成し、枚葉紙を押さえるとした紙押さえ方法でもよい。また上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００６１】
【図１】本実施の形態にかかる紙押さえ装置の切欠した平面図である。
【図２】図１におけるＡ部の拡大図である。
【図３】図２におけるＹ１−Ｙ１線に沿える断面図である。
【図４】図２におけるＹ２−Ｙ２線に沿える拡大断面図である。
【図５】図１におけるＢ部の拡大図である。
【図６】図５におけるＹ３−Ｙ３線に沿える拡大断面図である。
【符号の説明】
【００６２】
１０３  第１押さえ部材
１３５  第１支持杆
２０３  第２押さえ部材
２３０  第２支持杆
Ｗ  枚葉紙
Ｐ  紙送り板
Ｍ  機枠
Ｒ  印刷胴
ｒ５  受け渡し爪
ｒ６  スイング爪
Ｓ  前当て
ｓ４  浮上防止ローラ
【図１】
2006305790.tif 000003
【図２】
2006305790.tif 000004
【図３】
2006305790.tif 000005
【図４】
2006305790.tif 000006
【図５】
2006305790.tif 000007
【図６】
2006305790.tif 000008